(57)【要約】【課題】携帯電話機５０の液晶表示装置５３が設けられている上部筐体５１正面に美しく貼り付けることができ、かつ、覗き見防止以外の機能も付加した貼付シート１を提供し、利用者の満足度を向上させる。【解決手段】携帯電話機５０の液晶表示装置５３が設けられている側の上部筐体５１正面に貼り付けて使用される貼付シート１に、前記液晶表示装置５３に重ね合わせられる覗き見防止部３と、該覗き見防止部３の周囲を囲繞する電磁波防止部４とを備えた。そして、前記覗き見防止部３は、前記液晶表示装置５３の外形サイズＬ１より小さく、かつ、該液晶表示装置５３の表示領域Ｌ４と同一かそれより大きく構成した。【選択図】図２
2008219308.tif 000002
【特許請求の範囲】
【請求項１】
携帯端末の表示画面部が設けられている側の筐体に貼り付けて使用される携帯端末貼付シートであって、
前記表示画面部に重ね合わせられる覗き見防止部と、
該覗き見防止シートの周囲を囲繞する電磁波防止部とを備えた
携帯端末貼付シート。
【請求項２】
前記覗き見防止部は、前記表示画面部に設けられている表示装置の全体領域より小さく、かつ、該表示装置の有効表示領域と同一かそれより大きく構成されている
請求項１記載の携帯端末貼付シート。
【請求項３】
前記覗き見防止部を、覗き見防止フィルムで構成し、
前記電磁波防止部を、電磁波防止フィルムで構成し、
前記筐体の表面と同程度の大きさを有する基材シートを備え、
該基材シートに、前記覗き見防止フィルムと前記電磁波防止フィルムが重ね合わせられて一体的に構成された
請求項１または２記載の携帯端末貼付シート。
【請求項４】
前記覗き見防止フィルムを、前記基材シートと同一の大きさに形成し、
前記覗き見防止部を、前記電磁波防止フィルムに設けられた窓孔によって構成する
請求項３記載の携帯端末貼付シート。
【発明の詳細な説明】
【技術分野】
【０００１】
この発明は、例えば携帯電話機などの携帯端末の筐体に貼り付けて用いるような携帯端末貼付シートに関する。
【背景技術】
【０００２】
従来、携帯端末貼付シートの一種として、携帯電話機の表示画面などに貼り付けられ、覗き見を防止する覗き見防止フィルムが提案されている（特許文献１、２、３参照）。
【０００３】
このような覗き見防止フィルムは、フィルムに対して直角の方向の光を通過許容し、斜め方向の光は通過させない性質を有している。従って、覗き見防止フィルムを表示画面に貼り付けると、正面から真っ直ぐに表示画面を見る利用者は表示内容を見ることができ、横や上から斜めに覗き込む他人は表示内容を見ることができない。この覗き見防止フィルムを利用することで、利用者は、表示画面に表示しているメール文章などを他人に覗き見されないようにしてプライバシーを保護している。
【０００４】
ここで、携帯電話機の筐体正面のうち、表示画面が設けられている部分は一部である。そして、近年の携帯電話機は、洗練されたデザインを有しており、表示画面の部分とその周囲部分との間に段差が生じないように、透明の樹脂板で正面全面を覆っているようなものも提供されてきている。
【０００５】
このため、表示画面の部分に覗き見防止フィルムを貼り付けると、段差のないように構成された正面の樹脂板に段差が生じてしまい、見栄えが悪くなるという問題点がある。  
また、覗き見防止フィルムは、覗き見を防止できる以外の機能を有していないため、例えば電磁波を防止する等の他の機能を求める場合、別途の方法にて行う必要がある。
【特許文献１】特開２００４−２６４７９６号公報
【特許文献２】特開２００６−１６８３３５号公報
【特許文献３】特開２００６−１９２８７２号公報
【発明の開示】
【発明が解決しようとする課題】
【０００６】
この発明は、上述の問題に鑑み、携帯端末の表示画面が設けられている正面に美しく貼り付けることができ、かつ、覗き見防止以外の機能も付加した携帯端末貼付シートを提供し、利用者の満足度を向上させることを目的とする。
【課題を解決するための手段】
【０００７】
この発明は、携帯端末の表示画面部が設けられている側の筐体に貼り付けて使用される携帯端末貼付シートであって、前記表示画面部に重ね合わせられる覗き見防止部と、該覗き見防止シートの周囲を囲繞する電磁波防止部とを備えた携帯端末貼付シートであることを特徴とする。
【０００８】
好ましい態様として、前記覗き見防止部は、前記表示画面部に設けられている表示装置の全体領域より小さく、かつ、該表示装置の有効表示領域と同一かそれより大きく構成されている。
【発明の効果】
【０００９】
この発明により、携帯端末の表示画面が設けられている正面に美しく貼り付けることができ、かつ、覗き見防止以外の機能も付加した携帯端末貼付シートを提供し、利用者の満足度を向上させることができる。
【発明を実施するための最良の形態】
【００１０】
この発明の一実施形態を以下図面と共に説明する。  
図１は、携帯電話機５０と貼付シート１，７の外観を示す斜視図である。  
携帯電話機５０は、上部筐体５１と下部筐体６１とがヒンジ５９で折りたたみ可能に接続されている。  
上部筐体５１は、不透明の樹脂で形成されている。この上部筐体５１は、折りたたみ内面側となる正面に、液晶表示装置５３用の投光部５１ａと、この投光部５１を囲む枠状の不透明部５１ｂが設けられている。この投光部５１ａは、上部筐体５１に形成された窓孔である。投光部５１ａと不透明部５１ｂの表面には、全体を覆うようにして、透明のアクリル板５８が設けられている。このアクリル板５８および不透明部５１ｂには、投光部５１ａより上方位置に、スピーカ孔５２が設けられている。
【００１１】
投光部５１ａの装置内側には、液晶表示装置５３が重ねられている。この液晶表示装置５３は、画素表示部３４ａの表示領域Ｌ４が投光部５１ａの投光領域Ｌ２より小さく、かつ、前面ガラス基板３１の外形サイズＬ１が投光部５１ａの投光領域Ｌ２より大きいサイズに構成されている。  
下部筐体６１は、折りたたみ内面側となる正面６１ａに、複数の入力キー６２と、１つのマイク孔６４が設けられている。
【００１２】
このように外観が構成されている携帯電話機５０の内部には、液晶表示装置５３だけでなく、各種制御を行う制御部、情報を記憶する記憶部、入力キー６２の入力を検知する入力部、音声を出力するスピーカー、音声を集音するマイク、および無線通話や無線データ通信を行う無線通信部などが設けられている。
【００１３】
貼付シート１は、携帯電話機５０の正面と同じ大きさのシートで形成されている。携帯電話機５０のスピーカ孔５２に対応する位置には、スピーカ孔２が設けられている。また、携帯電話機５０の投光部５１ａに対応する位置には、覗き見防止部３が設けられ、それ以外の部分に電磁波防止部４が設けられている。
【００１４】
貼付シート７は、携帯電話機５０の正面６１ａと同じ大きさのシートで形成されている。この貼付シート７は、塩ビやＰＥＴ等の透明素材で形成される基材シートと、前述した電磁波防止フィルム１２と同一素材の電磁波防止フィルムとが重ね合わせて構成されている。これにより、貼付シート７は、全面に電磁波防止部７ａが設けられている。また、この貼付シート７は、携帯電話機５０の入力キー６２に対応する位置に、当該入力キー６２の機能を示す印刷表示８が印刷されている。また、貼付シート７は、携帯電話機５０のマイク孔６４に対応する位置に、マイク孔９が設けられている。貼付シート７の基材シートは、印刷表示８部分が押下されると入力キー６２を押下できるように、柔軟性のある素材で構成されている。
【００１５】
図２は、携帯電話機５０に設けられている液晶表示装置５３と貼付シート１の構成を示す縦断面図である。  
貼付シート１は、基材シート１１に、電磁波防止フィルム１２と覗き見防止フィルム１３と粘着層１４がこの順で重なっている状態に接着されて一体化されている。この接着は、接着剤によって行う、融着によって行う、あるいは塗装によってフィルム状に形成するなど、適宜の方法によって剥がれないように固定すればよい。また、電磁波防止フィルム１２と覗き見防止フィルム１３は、フィルム素材とすることに限らず、それぞれ電磁波防止機能を発揮する電磁波防止層、または覗き見防止機能を発揮する覗き見防止層で構成すればよい。
【００１６】
基材シート１１は、塩ビあるいはＰＥＴ等の透明素材によりシート状に形成されている。  
電磁波防止フィルム１２は、電磁波を遮断する通信波遮断部材で形成されている。具体的には、アルミ、銅、または銀といった金属、あるいは炭素または珪素といった吸収剤が樹脂に含有された部材で形成されている。この電磁波防止フィルム１２は、電磁波の通過を遮断あるいは抑制する機能を有する。
【００１７】
電磁波防止フィルム１２は、基材シート１１と同じ大きさの外形を有しており、内側に窓孔１２ａが形成されている。この窓孔１２ａの孔サイズＬ３は、投光部５１ａの投光領域Ｌ２より小さく、液晶表示装置５３の画素表示部３４ａの表示領域Ｌ４より大きいサイズに形成されている。なお、窓孔１２ａの孔サイズＬ３は、液晶表示装置５３の画素表示部３４ａの表示領域Ｌ４と同一のサイズに形成してもよい。
【００１８】
覗き見防止フィルム１３は、フィルムの面に対して直角に見ると透光して向こう側を見ることができ、フィルムの面に対して斜めに見ると遮光されて（若しくは発色して）向こう側を見ることができない（あるいは視認しづらくなる）フィルムで構成されている。具体的には、微細な凹凸が設けられているフィルム、多層構造で内部反射光の干渉により発色機能を有する透光性樹脂フィルム、あるいは、斜めからの光を遮断する偏光フィルタなど、適宜のフィルムで構成することができる。  
この覗き見防止フィルム１３は、基材シート１１と同じ大きさに形成されている。
【００１９】
粘着層１４は、覗き見防止フィルム１３の表面（基材シート１１と反対側の面）に粘着材が塗布されて形成されている。なお、粘着層１４の上には、剥離紙を貼り付けておくとよい。これにより、利用者は剥離紙から貼付シート１を剥がして使用することができる。
【００２０】
液晶表示装置５３は、前面ガラス基板３１、カラーフィルタ３２、液晶層３３、ＴＦＴアレイ３４、および背面ガラス基板３５がこの順で積層されて構成されている。なお、この液晶表示装置５３は周知のものであるから、液晶表示装置５３に設けられる偏光フィルタ、配向膜、および液晶表示装置５３の背面に設けられるバックライト等については省略して説明する。
【００２１】
この液晶表示装置５３は、最前面に設けられている前面ガラス基板３１の大きさに対して、ＴＦＴアレイ３４にて画素を表示する画素表示部３４ａが一回り小さく構成されている。従って、液晶表示装置５３の全体サイズ（前面ガラス基板３１のサイズ）に対して画素表示部３４ａは小さくなっている。
【００２２】
以上の構成の貼付シート１を携帯電話機５０に貼り付けることで、電磁波防止機能と覗き見防止機能の両方を得ることができる。  
まず、電磁波防止機能について説明すると、携帯電話機５０の無線通信アンテナから送信される電磁波は、上部筐体５１の正面側に設けられている液晶表示装置５３と貼付シート１の電磁波防止フィルム１２によって遮断される。つまり、電磁波防止フィルム１２には窓孔１２ａが設けられているが、この窓孔１２ａ部分には、窓孔１２ａよりも一回り大きい液晶表示装置５３が配置されている。従って、窓孔１２ａと液晶表示装置５３の隙間から電磁波が漏れるといったことを防止できる。
【００２３】
これにより、携帯電話機５０のスピーカ孔５２を耳に当てて通話する利用者は、携帯電話機５０内部の無線通信アンテナが発する電磁波から、液晶表示装置５３と電磁波防止フィルム１２によって確実に守られる。
【００２４】
また、覗き見防止機能について説明すると、貼付シート１には、液晶表示装置５３の画素表示部３４ａよりも一回り大きい覗き見防止フィルム１３が設けられている。ここで、正面から見る利用者は、図３（Ａ）に示すように、画素表示部３４ａに表示されている内容を見ることができる。しかし、図３（Ｂ）に示すように、斜めに覗き見しようとする他人に対しては、覗き見防止フィルム１３が画素表示部３４ａ全体に被さっているため、画素表示部３４ａ全体を見えないようにすることができる。
【００２５】
そして、このように貼付シート１は、上部筐体５１の正面と同じ大きさに形成されており、しかも最上面全体が基材シート１１で覆われているため、上部筐体５１の正面に貼り付けても凹凸のない美しい美観を提供することができる。特に、全体を覆う基材シート１１が電磁波防止フィルム１２および覗き見防止フィルム１３よりも肉厚であるため、電磁波防止フィルム１２の窓孔１２ａによる段差等を利用者に殆ど感じさせない状態にすることができる。
【００２６】
また、基材シート１１と電磁波防止フィルム１２と覗き見防止フィルム１３の外形サイズを同一にしたため、貼付シート１に不要な段差が生じることを防止でき、美しい外観にすることができる。
【００２７】
また、表面となる基材シート１１側に電磁波防止フィルム１２を配置し、その裏側に覗き見防止フィルム１３を配置しているため、図３（Ｂ）に示すように、覗き見防止部３のみを斜めから見えないようにすることができる。従って、電磁波防止部４については、電磁波防止フィルム１２より前面側に描かれたプリント表示などがあった場合、利用者はこのプリント表示を斜めからでも視認できる。
【００２８】
なお、図４の実施例２の断面図に示すように、貼付シート１は、電磁波防止フィルム１２と覗き見防止フィルム１３の重ねる順序を逆にして構成してもよい。この場合、図５（Ａ）に示すように、真正面から見る利用者は画素表示部３４ａに表示されている内容を視認することができ、図５（Ｂ）に示すように、斜めから見る他人は画素表示部３４ａの表示内容も含めて上部筐体５１の正面全体を視認できないようにできる。特に、覗き見防止フィルム１３を、液晶表示装置５３の消灯時に鏡として機能するフィルムで構成した場合、画素表示部３４ａよりも広い上部筐体５１の正面全体を鏡とすることができ、上部筐体５１の正面全体を有効活用することができる。
【００２９】
この発明の構成と、上述の実施形態との対応において、
この発明の携帯端末貼付シートは、実施形態の貼付シート１に対応し、
以下同様に、
携帯端末は、携帯電話機５０に対応し、
筐体は、上部筐体５１に対応し、
表示画面部は、液晶表示装置５３に対応し、
全体領域は、外形サイズＬ１に対応し、
有効表示領域は、表示領域Ｌ４に対応するも、
この発明は、上述の実施形態の構成のみに限定されるものではなく、多くの実施の形態を得ることができる。
【図面の簡単な説明】
【００３０】
【図１】携帯電話機と貼付シートの外観を示す斜視図。
【図２】液晶表示装置と貼付シートの構成を示す縦断面図。
【図３】覗き見防止効果の説明図。
【図４】実施例２の貼付シートの構成を示す縦断面図。
【図５】実施例２の覗き見防止効果の説明図。
【符号の説明】
【００３１】
１…貼付シート、３…覗き見防止部、４…電磁波防止部、１１…基材シート、１２…電磁波防止フィルム、１２ａ…窓孔、１３…覗き見防止フィルム、５０…携帯電話機、５１…上部筐体、５３…液晶表示装置、Ｌ１…外形サイズ、Ｌ４…表示領域
【図１】
2008219308.tif 000003
【図２】
2008219308.tif 000004
【図３】
2008219308.tif 000005
【図４】
2008219308.tif 000006
【図５】
2008219308.tif 000007